(57)【要約】【課題】専用の記録媒体を使用しなくても、ユーザの好みの設定情報を記録再生装置に自動的に設定できる記録再生装置を提供すること。【解決手段】記録再生装置１にＢＤ２が挿入されると、設定情報ファイル読み取り部２４は、ＢＤ２のSETTINGSディレクトリ６４に格納された設定情報ファイルのファイル名が、メモリ１５に記録されている記録再生装置１の機種情報と同一の場合には、当該設定情報ファイルを読み取り、記録再生処理制御部１７に出力する。前記設定情報ファイルを受信した記録再生処理制御部１７は、当該設定情報ファイルに記録されている設定情報を記録再生装置１に設定（反映）する。【選択図】図２
2010027125.tif 000002
【特許請求の範囲】
【請求項１】
記録再生装置に設定された所定の設定情報に基づき、挿入された記録媒体にデジタルコンテンツを記録する処理及び当該記録媒体に記録したデジタルコンテンツを再生する処理を実行する記録再生装置において、
ユーザの操作により前記設定された所定の設定情報を変更する設定情報変更部と、
挿入された記録媒体に設定情報を記録する設定情報書き込み部と、
前記挿入された記録媒体に記録された設定情報を読み込む設定情報読み込み部とを備え、
前記記録再生装置に挿入された記録媒体に前記設定情報を記録し、当該記録された設定情報に基づいて、デジタルコンテンツを記録し、
前記記録再生装置に挿入された記録媒体に記録されている設定情報を読み出し、当該設定情報に基づいて、デジタルコンテンツを記録又は再生することを特徴とする記録再生装置。
【請求項２】
前記記録媒体に記録された設定情報が変更された場合、当該変更された設定情報を前記記録媒体に上書記録することを特徴とする請求項１に記載の記録再生装置。
【請求項３】
前記設定情報が記録された記録媒体の取り出し操作が実行されると、前記所定の設定情報を前記記録再生装置に設定し直すことを特徴とする請求項１又は２に記載の記録再生装置。
【発明の詳細な説明】
【技術分野】
【０００１】
本発明は、デジタルコンテンツの記録再生装置、特に、ユーザの設定情報を記録再生装置に自動的に設定できる記録再生装置に関する。
【背景技術】
【０００２】
近年の据え置き型の記録再生装置、例えばＢＤ（Ｂｌｕ−ｒａｙ  Ｄｉｓｃ）レコーダー装置は、多機能化しており、オートチャプターの時間間隔、録画レート、録画リストの表示態様など、多数の設定項目が設けられており、それらの設定操作が複雑になっている。
通常、このような記録再生装置においては、ユーザの利便性を考慮して、平均的な利用形態を反映する設定情報が初期設定情報として設定されている。
【０００３】
また、据え置き型の記録再生装置は、家族で共有使用されることが多く、ユーザによっては、高機能化した記録再生装置の機能を十分に利用するため、好みに合わせて、多数の設定情報を変更することがある。
【０００４】
このように、多機能化した記録再生装置を複数のユーザが共有使用する場合において、ユーザが好みの設定で記録再生装置を利用してコンテンツを録画／再生する場合、記録再生装置を使用する度に、多数の設定情報を変更する必要があり、このような変更作業は非常に煩雑である。
【０００５】
これに対し、特許文献１には、情報処理装置の利用におけるユーザの設定情報変更作業を軽減するために、所定の設定情報が記録された専用のメモリを情報処理装置に装着することにより、当該メモリに記録された設定情報が読み出されて、自動的に設定する手法が開示されている。
【特許文献１】特開２００３−２２３６１７号公報
【発明の開示】
【発明が解決しようとする課題】
【０００６】
しかし、特許文献１に開示の処理を実現するためには、設定情報が記録された専用のメモリをユーザ毎に所持しなければならず、ユーザの負担になる。
【０００７】
また、ユーザによる記録再生装置の使用が終了しても、当該ユーザ用に設定された設定情報はそのまま記録再生装置に設定される。それ故、当該ユーザ用に変更された設定状態を例えば初期設定状態（デフォルト状態）に戻すには、ユーザ自ら記録再生装置を操作し設定情報を元に戻さなければならなかった。
【０００８】
本発明は、かかる実情に鑑みてなされたものであり、専用の記録媒体を使用しなくても、ユーザの好みの設定情報を記録再生装置に自動的に設定できる記録再生装置を提供することを目的とする。
【課題を解決するための手段】
【０００９】
第１の技術手段は、記録再生装置に設定された所定の設定情報に基づき、挿入された記録媒体にデジタルコンテンツを記録する処理及び当該記録媒体に記録したデジタルコンテンツを再生する処理を実行する記録再生装置において、ユーザの操作により前記設定された所定の設定情報を変更する設定情報変更部と、挿入された記録媒体に設定情報を記録する設定情報書き込み部と、前記挿入された記録媒体に記録された設定情報を読み込む設定情報読み込み部とを備え、前記記録再生装置に挿入された記録媒体に前記設定情報を記録し、当該記録された設定情報に基づいて、デジタルコンテンツを記録し、前記記録再生装置に挿入された記録媒体に記録されている設定情報を読み出し、当該設定情報に基づいて、デジタルコンテンツを記録又は再生することを特徴とする記録再生装置である。
【００１０】
第２の技術手段は、第１の技術手段において、前記記録媒体に記録された設定情報が変更された場合、当該変更された設定情報を前記記録媒体に上書記録することを特徴とする。
【００１１】
第３の技術手段は、第１又は第２の技術手段において、前記設定情報が記録された記録媒体の取り出し操作が実行されると、前記所定の設定情報を前記記録再生装置に設定し直すことを特徴とする。
【発明の効果】
【００１２】
本発明により、記録再生装置の複雑な設定操作を繰り返すことなく、ユーザの好みの設定情報で記録再生装置を使用しコンテンツを録画／再生することができる。
【発明を実施するための最良の形態】
【００１３】
図１は、本発明に係わる記録再生装置において表示される、設定情報のメニュー画面５０の一例である。
５０ａは、設定項目を示す設定項目欄、５０ｂは、前記設定項目の内容を示す設定内容欄、５０ｃは、前記設定項目の設定値を示す設定値欄である。
ユーザは、本発明に係わる記録再生装置の操作リモコン等を介して、丸印で示したように前記設定項目の設定値を変更・決定することができる。
以下、設定情報とは、前記設定項目及び当該設定項目に対応する設定値を示す。
【００１４】
ここで、ユーザが、初期化されたＢＤに、コンテンツ例えば連続ドラマを録画する状況を想定する。ユーザは、好みの録画条件を設定するため録画の前に、メニュー画面５０を介して、録画レート、オートチャプター等の設定情報を録画対象の連続ドラマ用に変更する。
以後、変更された設定情報に基づき、録画処理が実行される。
【００１５】
前記録画処理が終了し、ユーザが、連続ドラマが記録されたＢＤの排出（取り出し）を指示すると、記録再生装置は、前記ＢＤを排出する際に、ユーザによって変更された設定情報を記録した設定情報ファイルを生成し、前記ＢＤに記録する。また、記録再生装置は、メモリに記録されている初期設定用ファイルを読み出し、記録再生装置の設定情報を初期状態に戻す（デフォルト値に戻す）。
【００１６】
その後、ユーザが、前記連続ドラマの続編を前記ＢＤに録画するために、当該ＢＤを記録再生装置に挿入すると、当該記録再生装置は、ＢＤに記録された設定情報ファイルを読み込み、当該設定情報ファイルに記録されたユーザの設定情報を自動的に設定する。
【００１７】
このように、設定情報が記録されたＢＤを挿入するだけで、ユーザの好みの設定情報を記録再生装置に自動的に設定することができるので、ユーザの利便性が向上する。また、設定情報をＢＤに記録するので、当該設定情報を記録する専用のメモリを所持する必要がなく、ユーザの負担が軽減する。
【００１８】
図２は、本発明に係わる記録再生装置１の機能ブロック図である。
１１は、ネットワークＩ／Ｆで、ネットワークＮに対するインターフェイス機能を提供する。ネットワークＩ／Ｆ１１は、例えば、コンテンツ配信サーバ（図示しない）から配信されるデジタルコンテンツを、ネットワークＮを介して受信し、記録再生装置１に記録する。
【００１９】
１２は、操作部で、記録再生装置１を操作する。操作部１２は、ユーザの操作により、記録再生装置１に設定された所定の設定情報、例えば初期設定情報を変更する設定情報変更部として機能する。
なお、操作部１２は、リモコンから構成してもよい。
１３は、表示部で、記録再生装置１の状態情報等を表示する。
【００２０】
１４は、記録媒体挿入排出部で、記録媒体、例えばＢＤ２を記録再生装置１に挿入／ＢＤ２を記録再生装置１から排出する（取り出す）ためのインターフェイスとして機能する。なお、ＢＤ２を記録再生装置１からの取り出しは、操作部１２のボタン操作により実行される。
【００２１】
１５は、メモリで、初期設定情報が記録された初期設定用ファイル、記録再生装置１の機種情報、各種制御情報などを記録する。なお、メモリ１５は、揮発性メモリ／不揮発性メモリから構成されている。
ＨＤＤ１６は、大容量記録装置で、例えば、ネットワークＩ／Ｆ１１等を介して取得したデジタルコンテンツを記録する。
【００２２】
１７は、記録再生処理制御部で、記録再生装置１の初期設定情報、図１のメニュー画面５０を介して変更された設定情報などに基づき、挿入されたＢＤ２／ＨＤＤ１６にデジタルコンテンツを記録する処理、及び、ＢＤ２／ＨＤＤ１６に記録したデジタルコンテンツを再生する処理を実行する。
１８は、制御部で、各機能ブロックを制御する。
【００２３】
２１は、フォルダ作成部で、記録再生装置１に挿入されたＢＤ２の所定領域に作成されているルートディレクトリの直下に、記録再生装置１の設定情報を記録した設定情報ファイルを格納するための設定情報ディレクトリを作成する。
【００２４】
図３は、前記ルートディレクトリのディレクトリ構成の一例を示した図で、６１は、ルートディレクトリ(root directory)で、当該ディレクトリ６１の直下に、ＢＤ規格で定められたファイル群を格納するBDAVディレクトリ６２、暗号化鍵情報等を格納するAACSディレクトリ６３、記録再生装置１の設定情報を記録した設定情報ファイルを格納するSETTINGSディレクトリ（設定情報ディレクトリ）６４が生成されている状態を示している。
【００２５】
図２の２２は、設定情報ファイル生成部で、ユーザによって変更された記録再生装置１の設定情報を記録した設定情報ファイルを生成する。
【００２６】
ユーザによって変更された記録再生装置１の設定情報を記録したファイルの名称は、メモリ１５に記録されている記録再生装置１の機種情報例えば“Product_no_1_data”とする。
なお、設定情報ファイルの生成処理の詳細については後述する。
【００２７】
２３は、設定情報ファイル書き込み部で、挿入されたＢＤ２に設定情報を記録する。具体的には、設定情報ファイル生成部２２によって生成された設定情報ファイル等をＢＤ２のSETTINGSディレクトリ６４に格納する。
【００２８】
２４は、設定情報ファイル読み取り部で、挿入されたＢＤ２に記録された設定情報を読み込む。具体的には、記録再生装置１にＢＤ２が挿入されると、当該ＢＤ２のSETTINGSディレクトリ６４に格納された設定情報ファイルのファイル名が、メモリ１５に記録されている記録再生装置１の機種情報例えば“Product_no_1_data”と同一の場合には、当該設定情報ファイルを読み取り、記録再生処理制御部１７に出力する。前記設定情報ファイルを受信した記録再生処理制御部１７は、当該設定情報ファイルに記録されている設定情報を記録再生装置１に設定（反映）する。
【００２９】
また、ユーザにより、設定情報ファイルが記録されたＢＤ２の取り出し操作が実行されて、ＢＤ２が記録再生装置１から排出される際に、記録再生処理制御部１７は、メモリ１５に記録されている初期設定用ファイル（所定の設定情報）を読み出し、所定の設定情報を記録再生装置１に設定し直す、つまり、初期状態に戻す。
【００３０】
（初期化記録媒体の挿入／取り出し）
ここでは、ユーザが、初期化されたＢＤ２を記録再生装置１に挿入し、記録再生装置１の使用後、当該ＢＤ２を取り出す際に実行される処理について説明する。
【００３１】
ここではユーザが、図１のメニュー画面５０に示すように、記録再生装置１の設定情報を変更し、変更された設定情報が記録再生装置１に設定されているものとする。
【００３２】
記録再生装置１の使用、例えば、変更された設定情報に基づいてＢＤ２へのコンテンツの記録（録画）が終了したので、挿入されているＢＤ２を取り出すため、ユーザが操作部１２の記録媒体排出ボタンを操作する。すると、制御部１８は、当該操作を検知すると共に、ＢＤ２におけるSETTINGSディレクトリ６４の有無を検知する。
この場合、ＢＤ２は初期化されているので、SETTINGSディレクトリ６４は存在しない。そこで、フォルダ作成部２１は、新たにSETTINGSディレクトリ６４をルートディレクトリ６１の直下に作成する。
【００３３】
次に、設定情報ファイル生成部２２は、変更された設定情報を記録した設定情報ファイルを作成する。
図４は、前記設定情報ファイルの一例を示す図で、設定情報ファイル７１は、図１のメニュー画面５０の設定項目欄５０ａに対応する設定項目記録領域７２を有する。
【００３４】
設定項目記録領域７２は、各設定項目の総バイト数を記録する項目長領域７２ａと、メニュー画面５０の設定項目欄５０ａのＩＤを記録する設定項目ＩＤ領域７２ｂと、設定項目ＩＤに対応するメニュー画面５０の設定値欄５０ｃの設定値を記録する設定項目領域７２ｃを有する。
【００３５】
設定情報、例えば、図１のメニュー画面５０の最上部にある設定項目“マニュアル録画レート（１）”、設定値“Ｍ１”を設定情報ファイルに記録する場合には、設定項目記録領域７２の項目長領域７２ａに設定項目のバイト数が記録され、同設定項目ＩＤ領域７２ｂには、前記録画レートに対応するＩＤ“１”が記録され、同設定項目領域７２ｃには、前記録画レートに対応する設定値“Ｍ１”が記録される。なお、その他の設定項目についても同様に記録される。初期設定用ファイルも同様である。
【００３６】
そして、変更後の設定情報が記録された設定情報ファイルを生成した設定情報ファイル生成部２２は、ファイル名例えば“Product_no_1_data”を当該設定情報ファイルに設定する。
生成された設定情報ファイルは、設定情報ファイル書き込み部２３によって、ＢＤ２のSETTINGSディレクトリ６４に格納される。
【００３７】
図５は、SETTINGSディレクトリ６４に格納されている設定情報ファイルを模式的に示した図である。
図５に示したように、SETTINGSディレクトリ６４には、記録再生装置の機種毎に作成された設定情報ファイル“Product_no_1_data.bin”（７１）が格納されている。
【００３８】
このように、ＢＤ２が記録再生装置１から取り出される際に、当該ＢＤ２を所持するユーザが変更した記録再生装置１の設定情報が、該ＢＤ２に記録される。
【００３９】
そして、ＢＤ２が記録再生装置１から取り出される際に、記録再生処理制御部１７は、メモリ１５に記録されている初期設定用ファイルを読み出し、記録再生装置の設定情報を初期状態に戻す。
【００４０】
なお、他の機種で設定情報ファイルが作成された場合には、当該設定情報ファイルがSETTINGSディレクトリ６４に格納される。この場合、前記他の機種で作成された設定情報ファイルの名称は、当該他の機種名例えば“Product_no_2_data”となる。
【００４１】
（設定情報ファイル記録済み記録媒体の挿入／取り出し）
ここでは、ユーザが、記録再生装置１に、前述した処理によって設定情報ファイルが記録されたＢＤ２を挿入し、その後、当該ＢＤ２を取り出す際に実行される処理について説明する。
まず、設定情報ファイルが記録されたＢＤ２が記録装置１に挿入されると、制御部１８は、SETTINGSディレクトリ６４内に、記録再生装置１の機種情報がファイル名として設定されたファイル、例えば“Product_no_1_data.bin”が格納されているか否かを検知する。
【００４２】
記録再生装置１の機種情報がファイル名として設定された設定情報ファイルが格納されていると、設定情報ファイル読み取り部２４は、当該設定情報ファイルを読み取り、記録再生処理制御部１７に出力する。そして、前記設定情報ファイルを受信した記録再生処理制御部１７は、当該ファイルに記録されている設定情報を設定する。以後、記録再生装置１は、設定された設定情報に基づいて、デジタルコンテンツを記録又は再生する処理などを実行する。
【００４３】
その後、ユーザによりＢＤ２の排出が指示されると、設定情報ファイル生成部２２は、現在の設定情報が記録された設定情報ファイルを生成する。生成された設定情報ファイルは設定情報ファイル書き込み部２３によってＢＤ２のSETTINGSディレクトリ６４に格納される。つまり、ＢＤ２に記録された設定情報が変更された場合、当該変更された設定情報をＢＤ２に上書記録する。
なお、設定された設定情報に変更がない場合には、上記の設定情報ファイル生成処理は実行されない。
【００４４】
次いで、記録再生処理制御部１７は、メモリ１５に記録されている初期設定用ファイルを読み出し、記録再生装置１の設定情報を初期状態に戻す。
なお、上記の設定情報を初期状態に戻さず、後述するように、ＢＤ２に記録された設定情報ファイルに基づき設定情報を記録再生装置１に設定する前の設定状態に戻すようにしても良い。
【００４５】
ここで、ユーザが、初期化されたＢＤ２を記録再生装置１に挿入し、その後、当該ＢＤ２を取り出す際に実行される処理について図６のフロー図を用いて説明する。
なお、初期化されたＢＤ２は既に記録再生装置１に挿入されている。
まず、ユーザが、記録再生装置１の設定情報を変更すると（ステップＳ１）、変更された設定情報が記録再生装置１に設定される（ステップＳ２）。
【００４６】
その後、ユーザが操作部１２の記録媒体排出ボタンを操作し、ＢＤ２の取り出しを指示すると（ステップＳ３）、フォルダ作成部２１は、新たにSETTINGSディレクトリ６４をルートディレクトリ６１の直下に作成する（ステップＳ４）。そして、設定情報ファイル生成部２２は、変更された設定情報を記録した設定情報ファイルを作成し、SETTINGSディレクトリ６４に格納する（ステップＳ５）。
【００４７】
同時に、記録再生処理制御部１７は、メモリ１５に記録されている初期設定用ファイルを読み出し、記録再生装置の設定情報を初期状態に戻す（ステップＳ６）。
【００４８】
次に、ユーザが、上記の設定情報ファイルが記録済みのＢＤ２を挿入し、その後、当該ＢＤ２を取り出す際に実行される処理について図７のフロー図を用いて説明する。
設定情報ファイルが記録されたＢＤ２を記録再生装置１に挿入すると（ステップＳ１１）、制御部１８は、SETTINGSディレクトリ６４内に、設定情報ファイル“Product_no_1_data.bin”が格納されているか否かを検知する（ステップＳ１２）。
【００４９】
設定情報ファイルが格納されていると（ステップＳ１２／ＹＥＳ）、設定情報ファイル読み取り部２４は、当該ファイルを読み取り（ステップＳ１３）、記録再生処理制御部１７は、読み取られたファイルに記録されている設定情報を設定する（ステップＳ１４）。
【００５０】
その後、ユーザが操作部１２の記録媒体排出ボタンを操作し、ＢＤ２の取り出しを指示すると（ステップＳ１５）、設定情報ファイル生成部２２は、現在の設定情報が記録された設定情報ファイルを生成し、生成された設定情報ファイルは設定情報ファイル書き込み部２３によってＢＤ２のSETTINGSディレクトリ６４に格納される（ステップＳ１６）。
【００５１】
次いで、記録再生処理制御部１７は、メモリ１５に記録されている初期設定用ファイルを読み出し、記録再生装置の設定情報を初期状態に戻す。（ステップＳ１７）。
【００５２】
このように、一般的な記録媒体であるＢＤにユーザの好みの設定情報を記録するので、設定情報を記録する専用のメモリを所持する必要がない。また、設定情報が記録されたＢＤを挿入するだけで、ユーザ毎の好みの設定情報を記録再生装置１に自動的に設定することができるので、ユーザの利便性が向上する。
また、ＢＤを取り出した後は、記録再生装置の設定情報が自動的に初期状態に戻るので、ＢＤを挿入せずに記録再生装置１を使用する他のユーザが知らない間に設定情報が変更されてしまい、当該他のユーザが設定情報を変更し直すという煩雑な作業をせずに済み、当該他のユーザの利便性が向上する。
【００５３】
（その他）
ユーザが所持する他のＢＤに、当該ユーザの設定情報を記録する場合の処理（設定情報のコピー）について説明する。
このようなコピーを行う場合には、ユーザの設定情報を記録したファイルをメモリ１５等に記録する。そして、ユーザの指示により、図６のフロー図で説明したように、メモリ１５に記録されたファイルを記録再生装置１に挿入された前記他のＢＤに記録する。
このように、複数のＢＤにユーザの設定情報をコピーすることができるので、ユーザの利便性が向上する。
【００５４】
上記の実施例では、ＢＤ２が取り出される際に、記録再生装置１の設定状態を初期設定状態に戻したが、ＢＤ２に記録された設定情報ファイルに基づき設定情報を記録再生装置１に設定する前の設定状態に戻すようにしても良い。
この場合、ＢＤ２に記録された設定情報を読み出す際に、設定情報ファイル生成部２２は、前記ユーザによる設定情報の変更前の設定情報が記録されたバックアップ用ファイルを作成し、ＢＤ２のSETTINGSディレクトリ６４／記録再生装置１のメモリ１５に当該バックアップ用ファイルを記録する。なお、バックアップ用ファイルの名称は例えば“Previous_data”とする。
そして、ユーザの指示により記録再生装置１からＢＤ２が排出されると、設定情報ファイル読み取り部２４は、前記バックアップ用ファイルを読み取り、記録再生処理制御部１７に出力する。前記バックアップ用ファイルを受信した記録再生処理制御部１７は、当該バックアップ用ファイルに記録されている設定情報を設定し、記録再生装置１の設定内容を変更前の状態に戻す。
他にも、家族共有設定に戻すようにしてもよい。
【００５５】
記録媒体としてＢＤを例示して説明したが、ＤＶＤ、ＣＤであってもよい。
ここでは、生成したファイルの拡張子を“bin”(binary)としたが、当該拡張子に限定されず、様々な拡張子を利用することができる。
設定情報ファイルの生成／格納のタイミングは、上記の実施例に限定されることはなく、実施形態に応じて適宜変更することができる。
【図面の簡単な説明】
【００５６】
【図１】設定情報のメニュー画面の一例である。
【図２】本発明に係わる記録再生装置の機能ブロック図である。
【図３】ルートディレクトリのディレクトリ構成の一例を示した図である。
【図４】設定情報ファイルの一例を示す図である。
【図５】SETTINGSディレクトリに格納されている設定情報ファイルを模式的に示した図である。
【図６】初期化されたＢＤを記録再生装置に挿入し、その後、当該ＢＤを取り出す際に実行される処理について説明するためのフロー図である。
【図７】設定情報ファイルが記録済みのＢＤを挿入し、その後、当該ＢＤを取り出す際に実行される処理について説明するためのフロー図である。
【符号の説明】
【００５７】
１…記録再生装置、２…ＢＤ、１１…ネットワークＩ／Ｆ、１２…操作部（設定情報変更部）、１３…表示部、１４…記録媒体挿入排出部、１５…メモリ、１６…ＨＤＤ、１７…記録再生処理制御部、１８…制御部、２１…フォルダ作成部、２２…設定情報ファイル生成部、２３…設定情報ファイル書き込み部、２４…設定情報ファイル読み取り部、５０…メニュー画面、６１…ルートディレクトリ、６２…BDAVディレクトリ、６３…AACSディレクトリ、６４…SETTINGSディレクトリ（設定情報ディレクトリ）、７１…設定情報ファイル、７２…設定項目記録領域。
【図１】
2010027125.tif 000003
【図２】
2010027125.tif 000004
【図３】
2010027125.tif 000005
【図４】
2010027125.tif 000006
【図５】
2010027125.tif 000007
【図６】
2010027125.tif 000008
【図７】
2010027125.tif 000009